(57)【要約】【目的】  複数のアンテナを備えて良好な放送受信が行えるディジタル放送受信装置を提供する。【構成】  ＣＰＵ１１は当該受信装置３０の初期設置時等において、チャンネルサーチを実行する。このチャンネルサーチは、先ずアンテナ１Ａを選択した状態で行う。このチャンネルサーチにより、アンテナ１Ａを用いた場合の各チャンネルの受信良好度の判定が行える。同様にして、アンテナ１Ｂを選択した状態でチャンネルサーチを行うことにより、アンテナ１Ｂを用いた場合の各チャンネルの受信良好度の判定が行える。各チャンネルについてアンテナ１Ａとアンテナ１Ｂについての受信良好度を表示し、ユーザにアンテナを選択させ、この選択情報をメモリに登録する。選局時にはアンテナ選択情報に基づいてアンテナ選択指令をアンテナ切替器９に与える。【選択図】      図１
2005347962.tif 000002
【特許請求の範囲】
【請求項１】
複数接続されたアンテナのいずれかを選択するためのアンテナ切替器と、チャンネル番号と選択するアンテナとの対応関係を示すテーブルと、選択されたチャンネルについてのディジタル放送のチューニング時に、前記テーブルに基づいて前記アンテナ切替器にアンテナ選択指令を与える制御手段と、を備えたことを特徴とするディジタル放送受信装置。
【請求項２】
請求項１に記載のディジタル放送受信装置において、アンテナを選択して受信チャンネルを順次に切り替えるチャンネルサーチを行い、各アンテナについて各チャンネルの受信良好度を記憶するように構成されたことを特徴とするディジタル放送受信装置。
【請求項３】
請求項２に記載のディジタル放送受信装置において、各アンテナについて各チャンネルの受信良好度を画面表示する手段と、ユーザ入力に基づいてチャンネル番号と選択するアンテナとの対応関係を示すテーブルを作成する手段と、を備えたことを特徴とするディジタル放送受信装置。
【請求項４】
請求項２に記載のディジタル放送受信装置において、各チャンネルについて受信良好度が高い方のアンテナを判定して自動的にチャンネル番号と選択するアンテナとの対応関係を示すテーブルを作成する手段を、備えたことを特徴とするディジタル放送受信装置。
【発明の詳細な説明】
【技術分野】
【０００１】
この発明は、ディジタル放送を受信するディジタル放送受信装置に関する。
【背景技術】
【０００２】
地上波を用いたディジタル放送を受信するディジタル放送受信装置は、地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力することができる。また、図３に示すように、複数のアンテナ１Ａ・１Ｂを備え、これらアンテナの出力を混合器５１を介してチューナ２に供給することも考えられる。なお、複数のアンテナと混合器を備えるものとしてＯＦＤＭ受信装置が知られている（特許文献１参照）。
【特許文献１】特開２００３−１８１２３号公報
【発明の開示】
【発明が解決しようとする課題】
【０００３】
ところで、受信機の購入当初にチャンネルサーチを行ってチャンネルテーブル５０ａをメモリ５０において登録することが行われる。そして、地上ディジタル放送では、越境受信を行っている受信地域や、複数の方向に向けてＵＨＦアンテナ立てている場合、受信機がユーザにより指定された地域情報に基づき前記チャンネルテーブル５０ａを作成すると、ユーザが意図しない設定が行われるおそれがある。
【０００４】
この発明は、上記の事情に鑑み、複数のアンテナを備えて良好な放送受信が行えるディジタル放送受信装置を提供することを目的とする。
【課題を解決するための手段】
【０００５】
この発明のディジタル放送受信装置は、上記の課題を解決するために、複数接続されたアンテナのいずれかを選択するためのアンテナ切替器と、チャンネル番号と選択するアンテナとの対応関係を示すテーブルと、選択されたチャンネルについてのディジタル放送のチューニング時に、前記テーブルに基づいて前記アンテナ切替器にアンテナ選択指令を与える制御手段と、を備えたことを特徴とする。
【０００６】
上記の構成であれば、各チャンネルについて適切なアンテナが自動的に選択されることになり、複数のアンテナを備えて良好な放送受信が行えることになる。
【０００７】
上記構成のディジタル放送受信装置において、アンテナを選択して受信チャンネルを順次に切り替えるチャンネルサーチを行い、各アンテナについて各チャンネルの受信良好度を記憶するように構成されていてもよい。かかる構成において、各アンテナについて各チャンネルの受信良好度を画面表示する手段と、ユーザ入力に基づいてチャンネル番号と選択するアンテナとの対応関係を示すテーブルを作成する手段と、を備えてもよい。或いは、各チャンネルについて受信良好度が高い方のアンテナを判定して自動的にチャンネル番号と選択するアンテナとの対応関係を示すテーブルを作成する手段を、備えてもよい。
【発明の効果】
【０００８】
この発明によれば、複数のアンテナを備えて良好な放送受信が行えるという効果を奏する。
【発明を実施するための最良の形態】
【０００９】
以下、この発明の実施形態を図１及び図２に基づいて説明する。
【００１０】
図１は地上ディジタル放送を受信するディジタル放送受信装置を示したブロック図である。このディジタル放送受信装置は、２つのアンテナ入力端子９ａ・９ｂを備えており、端子９ａにはアンテナ１Ａの出力が入力され、端子９ｂにはアンテナ１Ｂの出力が入力される。
【００１１】
アンテナ１Ａ・１Ｂは地上放送局から送られてくるディジタル放送信号を受信し、この受信信号をアンテナ切替回路９を介してチューナ２に与える。アンテナ切替回路９は機械式或いは電子式のスイッチを備え、いずれか一方のアンテナ出力を選択して出力する。
【００１２】
チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００１３】
デマルチプレクサ（ＤＥＭＵＸ）３は、トランスポート・ストリームを、ビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）などに分離する。デマルチプレクサ３は、ビデオストリームとオーディオストリームをＡＶデコーダ４に供給し、ＰＳＩ／ＳＩ等をＣＰＵ１１に供給する。
【００１４】
ＡＶデコーダ４は、ビデオストリームに対してデコードを行う映像デコーダ４ａ、及びオーディオストリームに対してデコードを行う音声デコーダ４ｂを備える。映像デコーダ４ａは、入力された符号化信号を復号して量子化係数や動きベクトルを求め、逆ＤＣＴ変換や動きベクトルに基づく動き補償制御などを行う。音声デコーダ４ｂは、入力された符号化信号を復号して音声データを生成する。デコードにより生成された映像データはビデオエンコーダ５に出力され、音声データはＤ／Ａ変換器６に出力される。
【００１５】
ビデオエンコーダ５は映像デコーダ４ａから映像データを受け取ってＤ／Ａ変換を行い、例えばコンポジット映像信号に変換する。Ｄ／Ａ変換器６は音声デコーダ４ｂから出力された音声データを受け取ってＤ／Ａ変換を行い、例えば右（Ｒ）音のアナログ信号及び左（Ｌ）音のアナログ信号を生成する。モニタ１２には映像端子を介して映像信号が入力され、スピーカ１３には音声端子を介して音声信号が入力される。
【００１６】
ＣＰＵ１１のチップ内に構成されたＯＳＤ（オンスクリーンディスプレイ）回路１１ａは、ＣＰＵ１１から出力指示された文字情報や色情報に基づく映像データをビデオエンコーダ５に出力する。ビデオエンコーダ５は映像データをＡＶデコーダ４から出力される受信映像データに重畳する処理を行う。上記ＯＳＤ回路１１ａによりメッセージ表示などが行えることになる。
【００１７】
リモコン送信機８は、当該ディジタル放送受信装置３０に指令を送出するための送信機である。このリモコン送信機８に設けられた図示しないキーを操作すると、そのキーに対応した指令を意味する信号光（リモコン信号）が図示しない発光部から送出される。受光器７は、前記信号光を受光し、これを電気信号に変換してＣＰＵ１１に与える。
【００１８】
メモリ（例えば、ＲＡＭ、ＲＯＭ、ＥＥＰＲＯＭ、フラッシュメモリ等）１０には、ＰＳＩ／ＳＩから取得した付加情報等が格納される。更に、チャンネルテーブル１０ａには、アンテナ１Ａを用いたときのチャンネルサーチ結果、及びアンテナ１Ｂを用いたときのチャンネルサーチ結果が格納される。チャンネルサーチ結果は、例えば、各物理チャンネルについて、ネットワークＩＤから得られるネットワーク名と放送地域名、周波数、リモートコントロールキーＩＤ、ビットエラーレートや受信レベル等から計算される受信良好度などが含まれる。
【００１９】
ＣＰＵ１１は、このディジタル放送受信装置３０における全体制御を行うものであるが、特にこの発明にかかる制御として、チャンネルサーチの実行やチャンネルテーブル作成処理などを行うようになっている。更に、チャンネルサーチ及び選局処理において、アンテナ切替器９を制御する。
【００２０】
初期チャンネルサーチは、例えば、受信装置３０の初回電源投入時などに自動的に実行されるようになっている。また、転居後設置時などにチャンネルサーチを実行したい場合には、例えばリモコン送信機８を操作してメニュー項目中の「チャンネルサーチ」を選択することで実行される。
【００２１】
チャンネルサーチにおいては受信装置３０の設置場所に関する情報である地域コードが設定されているかどうかを判断する。地域コードが設定されていない場合には、ユーザに地域コードの入力を促す。
【００２２】
ＣＰＵ１１は、例えば、ＵＨＦ帯域の最も低い周波数であるｃｈ１３を判定対象とし、当該チャンネルを選局すべく、メモリ１０に記憶されているチャンネルテーブルからｃｈ１３を選局する周波数のＰＬＬデータを読み出し、チューナ２に設定する。そして、チューナ２で復調ロックできたかどうか（放送波が存在するかどうか）を判断する。放送波が存在すると判断した場合には、ディジタル復調処理により得られた信号のビットエラーレート（受信レベルでもよい）を測定し、この測定結果に基づいて当該チャンネルの受信良好度（例えば、ビットエラーレートが低いほど高い値とする）を算出し、当該チャンネルについての受信処理を終了する。なお、放送波の受信が行えた場合には、当該放送波に重畳されている付加情報からリモートコントロールＩＤや放送局に関する情報等を取得してメモリしておく。
【００２３】
放送波が存在しなかった場合には、予め受信チェックのために設けられたタイムアウトを判断し、タイムアウトである場合には、当該チャンネルについての受信処理を終了する（当該チャンネルは無局と判定する）。上記受信良好度の算出後及びタイムアウト後には、最終チャンネルかどうかを判断し、最終チャンネルでなければ、チャンネル番号を一つ上げ、この番号のチャンネルについて同処理を実行する。最終チャンネルであれば、チャンネルサーチ処理を終了する。更に、全てのアンテナについての上記チャンネルサーチ処理が終了したかどうかを判断し、終了していなければ、次のアンテナを選択して同様にチャンネルサーチ処理を行う。
【００２４】
チャンネルサーチ処理後には、例えば、周波数の低い順に、各チャンネルの結果画面をＯＳＤ機能を用いて表示する。図２は１６ｃｈ（物理チャンネル）についての周波数情報とアンテナ１Ａ・１Ｂの各々の受信良好度を表示した結果画面である。ユーザは、表示を見て、好ましい方のアンテナを、リモコン送信機８の青ボタン又は赤ボタンを押下することで、選択することができる。この選択情報はチャンネルテーブル１０ａ内でアンテナ切替情報として格納される。
【００２５】
勿論、上記のごとくユーザに選択させることに限らず、各物理チャンネルについて受信良好度が高い方のアンテナを自動的に登録することもできる。また、各ポジションにどの物理チャンネルを割り当てるかについては、各チャンネルで受信した情報中のリモートコントロールキーＩＤに従うこととしてもよいし、ユーザの希望するポジションに所望の放送局或いは物理チャンネルを割り当てることとしてもよいものである。
【００２６】
なお、例えば、物理チャンネルの１６ｃｈにおいて越境受信により○○放送の受信が良好に行え、物理チャンネルの２６ｃｈにおいて域内受信により同じ○○放送の受信が良好に行える場合がある。このような場合、ＣＰＵ１１は、チャンネルサーチ結果に基づいて放送局名（ネットワーク）の一致検索を行い、一致するものがある場合に、ポジションに対してどの物理チャンネルを割り当てるのかをユーザに問う画面を表示し、ユーザにより選択された物理チャンネルをポジションに割り当てる処理を行うこととしてもよい。
【００２７】
チャンネルサーチ処理後の通常処理において、ユーザにより選局操作がなされると、ＣＰＵ１１は、前記アンテナ切替情報に基づいて、当該チャンネルを受信するのにアンテナ１Ａとアンテナ１Ｂのどちらが選択されているかを判断し、選択されているアンテナに切り替わるようにアンテナ切替器９に指令を与えることになる。アンテナ切替器９は、例えば、ＣＰＵ１１からＨｉｇｈ信号受け取るとアンテナ１Ａに切り替え、Ｌｏｗ信号を受け取るとアンテナ１Ｂを選択するように構成されていればよい。
【００２８】
上記の例ではアンテナ選択をチャンネルサーチ結果に基づくこととしたが、これに限るものではない。例えば、近くにビルが存在するような環境下で、或る一つ又は複数の放送についてはその送信所と前記ビルとの位置関係で、アンテナをビルの存在する方向に向けた方が良好に受信できることが分かっている場合がある。すなわち、送信所からの直接波よりもビルからの反射波を受け取る方が良好な受信が行える場合がある。このような場合には、例えばアンテナ１Ｂをビルに向けて配置し、前記或る一つ又は複数の放送を受信するための一つ又は複数のチャンネルについては、アンテナ１Ｂを用いるとする設定を行うこともできる。なお、アナログ放送の場合には、直接波と反射波を受け取るとゴーストが生じてしまうが、ディジタル放送の場合には、ゴーストの問題は生じない。
【図面の簡単な説明】
【００２９】
【図１】この発明の実施形態のディジタル放送受信装置を示したブロック図である。
【図２】ユーザによるアンテナ選択を促す表示画面例を示した説明図である。
【図３】複数アンテナと混合器を備えたディジタル放送受信装置を示したブロック図である。
【符号の説明】
【００３０】
２    チューナ
９    アンテナ切替器
１０  メモリ
１０ａチャンネルテーブル（アンテナ切替情報）
１１  ＣＰＵ
【図１】
2005347962.tif 000003
【図２】
2005347962.tif 000004
【図３】
2005347962.tif 000005